(57)【要約】【課題】吐出ヘッドの押下げ操作が容易なポンプ付き容器を提案する。【解決手段】口頸部６を起立する容器体２と、前記口頸部６の外面に装着されたキャップ状部材１２より下方へ容器体２内に挿入されるポンプシリンダ１８が垂設され、このポンプシリンダ１８に、上端側に吐出ヘッド２４を付設した作動部材２０の下半部を上方付勢状態で嵌挿させてなる吐出装置１０と、前記作動部材２０が降下した状態で、前記キャップ状部材１２及び吐出ヘッド２４の外周面の少なくとも周方向の一部を覆うように形成されたカバー部材３０とを具備する。前記カバー部材３０は、前記キャップ状部材１２に取り付けられたキャップカバー３２と、前記吐出ヘッド２４に取り付けられたヘッドカバー４０とを有し、キャップカバー３２の上端側とヘッドカバー４０の下端側とを破断部３８を介して連結し、キャップカバー３２の外面から外方突出する指掛け部３６を突出した。【選択図】図１
2019064685.tif 000002
【特許請求の範囲】
【請求項１】
口頸部(６)を起立する容器体(２)と、
前記口頸部(６)の外面に装着されたキャップ状部材(１２)より下方へ容器体(２)内に挿入されるポンプシリンダ(１８)が垂設され、このポンプシリンダ(１８)に、上端側に吐出ヘッド(２４)を付設した作動部材(２０)の下半部を上方付勢状態で嵌挿させてなり、この作動部材(２０)の昇降により容器体(２)内に液体を吸い上げ、吐出ヘッド(２４)から吐出するように設けられた吐出装置(１０)と、
前記作動部材(２０)が降下した状態で、前記キャップ状部材(１２)及び吐出ヘッド(２４)の外周面の少なくとも周方向の一部を覆うように形成されたカバー部材(３０)と、
を具備し、
前記カバー部材(３０)は、前記キャップ状部材(１２)に取り付けられたキャップカバー(３２)と、前記吐出ヘッド(２４)に取り付けられたヘッドカバー(４０)とを有し、キャップカバー(３２)の上端側とヘッドカバー(４０)の下端側とを破断部(３８)を介して連結してなり、
前記キャップカバー(３２)は、その外面から外方突出する指掛け部(３６)を突出したことを特徴とする、ポンプ付き容器。
【請求項２】
前記キャップカバー(３２)は、キャップ状部材(１２)の外周面の少なくとも一部を覆う下側カバー壁部(３４)を有し、
前記指掛け部(３６)は、その下側カバー壁部(３４)より外方突出された上方から見て円弧形状のフランジとして形成されたことを特徴とする、請求項１に記載のポンプ付き容器。
【請求項３】
前記ヘッドカバー(４０)は、前記吐出ヘッド(２４)の外周面の少なくとも一部を覆う上側カバー壁部(４２)を有するとともに、この上側カバー壁部(４２)の上部から、吐出ヘッド(２４)の頂壁(２４ａ)に沿った天壁(４４)を延設しており、
この天壁(４４)のうち作動部材(２０)の縦方向の中心線(Ｏ)を通る箇所に指当て用凹部(４６)を形成したことを特徴とする、請求項１又は請求項２に記載のポンプ付き容器。
【請求項４】
前記指当て用凹部(４６)は、天壁(４４)の中央部から天壁(４４)の外周部の一端側に延び、その一端側に開口部(４６ａ)を有していることを特徴とする、請求項３に記載のポンプ付き容器。
【請求項５】
前記カバー部材(３０)は、キャップ状部材(１２)及び吐出ヘッド(２４)を囲む筒形(Ｃ)を２分割して得られる形状の半筒体であり、その分割箇所に、キャップ状部材(１２)及び吐出ヘッド(２４)を挿入するための挿入口(４８)を開口してなることを特徴とする、請求項１から請求項４のいずれかに記載のポンプ付き容器。
【発明の詳細な説明】
【技術分野】
【０００１】
本発明は、ポンプ付き容器に関する。
【背景技術】
【０００２】
この種のポンプ付き容器として、容器体の胴部から肩部を介して口頸部を起立するとともに、容器体に内装させた吐出装置のステムが口頸部内を通って上方へ突出され、ステムの上部に吐出ヘッドを付設するとともに、口頸部及び吐出ヘッドを覆う筒状のカバー部材を肩部の上面に載置させたものが知られている（特許文献１）。
【先行技術文献】
【特許文献】
【０００３】
【特許文献１】特開平８−１７５５５８
【発明の概要】
【発明が解決しようとする課題】
【０００４】
特許文献１のポンプ付き容器は、カバー部材を取り外して、吐出ヘッドの上面に指を当てて押し下げることで、吐出ヘッドのノズルから内容物を吐出するが、例えば女性や高齢者のように手指の力が弱い利用者にとっては、指一本の力だけでは、吐出ヘッドを十分に押し切れないことがあった。そうした場合、例えば吐出ヘッドの上面に人さし指を当て、さらに同じ手の他の指を容器体側に掛けると、力が入り易いが同文献のものの場合には、指を掛けるのに適当な場所もない。仮に容器体の胴部を親指と中指等で把持するとともに人差し指で吐出ヘッドの上部を押下げようとすると、把持箇所から押圧箇所までの長さが長くなり、女性には操作しにくい。
また特許文献１のようにステムの上端に吐出ヘッドに付設された構成では、吐出ヘッドの上面のうちステムの真上にする箇所（通常は吐出ヘッドの上面の中心箇所）を指で押し下げることが重要であり、そこから外れた場所を押すと、ステムが側方にブレて安定した押下げ操作ができない。
【０００５】
本発明の第１の目的は、吐出ヘッドの押下げ操作が容易なポンプ付き容器を提案することである。
本発明の第２の目的は、吐出ヘッドを覆うカバー部材に指当て用凹部を設け、吐出ヘッドの押下げに適当な場所に指を当てることが容易としたポンプ付き容器を提案することである。
【課題を解決するための手段】
【０００６】
第１の手段は、
口頸部６を起立する容器体２と、
前記口頸部６の外面に装着されたキャップ状部材１２より下方へ容器体２内に挿入されるポンプシリンダ１８が垂設され、このポンプシリンダ１８に、上端側に吐出ヘッド２４を付設した作動部材２０の下半部を上方付勢状態で嵌挿させてなり、この作動部材２０の昇降により容器体２内に液体を吸い上げ、吐出ヘッド２４から吐出するように設けられた吐出装置１０と、
前記作動部材２０が降下した状態で、前記キャップ状部材１２及び吐出ヘッド２４の外周面の少なくとも周方向の一部を覆うように形成されたカバー部材３０と、
を具備し、
前記カバー部材３０は、前記キャップ状部材１２に取り付けられたキャップカバー３２と、前記吐出ヘッド２４に取り付けられたヘッドカバー４０とを有し、キャップカバー３２の上端側とヘッドカバー４０の下端側とを破断部３８を介して連結してなり、
前記キャップカバー３２は、その外面から外方突出する指掛け部３６を突出した。
【０００７】
本手段では、図１及び図７に示す如く吐出装置１０のキャップ状部材１２を覆うキャップカバー３２と、吐出ヘッド２４を覆うヘッドカバー４０とを設け、そのキャップカバー３２の上端側とヘッドカバー４０の下端側とを破断部３８を介して連結してカバー部材３０とするとともに、そのキャップカバー３２から指掛け部３６を突出している。これにより、前記破断部３８を破断させた後に、当該指掛け部３６に指を添え、ヘッドカバー４０の上側を引き下げることにより、片手で容易に作動部材２０を下降させることができるので、操作性がよい。
【０００８】
「カバー部材」は、キャップ状部材１２及び吐出ヘッド２４の外周面の少なくとも周方向の一部を覆うように形成されている。
「外周面の少なくとも周方向の一部を覆う」としたのは、キャップ状部材等の外周面の全周を覆うように筒状に形成した構造を排除しない意味である。図示例のように吐出ヘッドの外周面から筒状のノズルを突出する代わりに、吐出ヘッドの外周面にノズル孔を開口した構成の場合には、カバー部材が筒状であっても差し支えない。
「キャップカバー」は、キャップ状部材の外周面の一部を覆うカバーであり、破断部を破断させた後には、指掛け部付き部材として使用される。
「ヘッドカバー」は、吐出ヘッド２４を覆う部材である。ヘッドカバーは、指で押圧し易い形状とするとよく、このような形状とすることで、吐出ヘッドを押し下げる際にも真っ直ぐ押下げ易い。
【０００９】
第２の手段は、第１の手段を有し、かつ
前記キャップカバー３２は、キャップ状部材１２の外周面の少なくとも一部を覆う下側カバー壁部３４を有し、
前記指掛け部３６は、その下側カバー壁部３４より外方突出された上方から見て円弧形状のフランジとして形成された。
【００１０】
本手段では、前記指掛け部３６は、キャップカバー３２が有する下側カバー壁部３４より外方突出された、図２及び図８に示す如く円弧形状のフランジとして形成されている。これにより指掛け部３６に指を掛ける箇所が周方向に広くなり、使い勝手がよい。
「フランジ」とは、ある物の表面から、その物に所定の機能（本発明では指掛け）を付与するために突設される突出片という程度の意味である。
「円弧状」とは、半円弧状のものでも良いが、半円弧より長い形状（優弧状又はＣ字状）或いは短い形状（劣弧状）であっても良い。
【００１１】
第３の手段は、第１の手段又は第２の手段を有し、かつ
前記ヘッドカバー４０は、前記吐出ヘッド２４の外周面の少なくとも一部を覆う上側カバー壁部４２を有するとともに、この上側カバー壁部４２の上部から、吐出ヘッド２４の頂壁２４ａに沿った天壁４４を延設しており、
この天壁４４のうち作動部材２０の縦方向の中心線Ｏを通る箇所に指当て用凹部４６を形成した。
【００１２】
本手段では、ヘッドカバー４０の天壁４４に指当て用凹部４６を形成している。この指当て用凹部４６は作動部材２０の縦方向の中心線Ｏを通る箇所に配置されており、指当て用凹部４６に指を当てて押し下げることにより、作動部材２０を横ブレさせることなく真っ直ぐに押し下げることができる。
「指当て用凹部」は、指当て箇所の位置決め機能を奏する凹部という程度の意味であり、その機能を発揮するためには、天壁の残りの箇所より凹んでいれば足りる。従って図７に示す凹陥部であってもよいが、図１に示すような切欠きであってもよい。
【００１３】
第４の手段は、第３の手段を有し、かつ
前記指当て用凹部４６は、天壁４４の中央部から天壁４４の外周部の一端側に延び、その一端側に開口部４６ａを有している。
【００１４】
本手段では、図１及び図７の図示例に示す指当て用凹部４６は、天壁４４の中央部から天壁の外周部の一端側（好適にはノズル突出方向と反対側）に延び、その一端側に開口部４６ａを有する形状としている。これにより、開口部４６ａ側から指当て用凹部４６へ指を入れた状態で指の向きに対するヘッドカバー４０の回転を抑制することができる。
【００１５】
第５の手段は、第１の手段から第４の手段のいずれかを有し、かつ
前記カバー部材３０は、キャップ状部材１２及び吐出ヘッド２４を囲む筒形Ｃを２分割して得られる形状の半筒体であり、その分割箇所に、キャップ状部材１２及び吐出ヘッド２４を挿入するための挿入口４８を開口してなる。
【００１６】
本手段では、カバー部材３０を、キャップ状部材１２及び吐出ヘッド２４を挿入するために挿入口４８を備えた半筒体に形成している。従ってキャップ状部材１２及び吐出ヘッド２４にカバー部材３０を被せることが容易となる。
前述の半筒体は、図２に示す如くキャップ状部材１２及び吐出ヘッド２４を囲む仮想の筒形ＣをＡ−Ａ切断線で２分割して得られる形状であり、前記挿入口４８はその分割箇所に開口される。「半筒体」は、筒形Ｃを均等に２分割して形状でなくても構わず、図示例のＡ−Ａ切断線は吐出ヘッド及びキャップ状部材の直径からずれた位置に設定されている。
本手段の半筒体形状のカバー部材３０は、図１に示すように吐出ヘッド２４にノズルを設けた側の吐出ヘッド２４及びキャップ状部材の一半部に取り付けるように設けてもよく、また図７に示す如く吐出ヘッド２４にノズルを設けた側とは反対側の吐出ヘッド２４及びキャップ状部材の一半部に取り付けるように設けてもよい。
【発明の効果】
【００１７】
第１の手段に係る発明によれば、キャップ状部材１２に取り付けられたキャップカバー３２の下端側と、前記吐出ヘッド２４に取り付けられたヘッドカバー４０の上端側とを破断部３８を介して連結したから、使用時に当該破断部を破断させた後に吐出ヘッド２４にはヘッドカバー４０が、またキャップ状部材１２にはキャップカバー３２がそれぞれ残り、キャップカバー３２の外面から外方突出した指掛け部に指を添えてヘッドカバー４０の上側を引き下げることにより、片手で容易に作動部材２０を下降させることができるので、操作性が良い。
第２の手段に係る発明によれば、指掛け部３６を、キャップカバー３２が有する下側カバー壁部３４の上部より外方突出された、上方から見て円弧状のフランジとしたから、指を掛けることが可能な箇所を周方向に広くとることができ、使い勝手が良い。
第３の手段に係る発明によれば、ヘッドカバー４０の天壁４４のうち作動部材２０の縦方向の中心線Ｏを通る箇所に指当て用凹部４６を形成したから、指当て用凹部４６に指を当ててそのまま押し下げることで作動部材２０を真直ぐに押し下げることができ、側方へのブレを生じにくいので操作性が良い。
第４の手段に係る発明によれば、指当て用凹部４６は、天壁４４の中央部から天壁４４の外周部の一端側に延び、その一端側に開口部４６ａを有しているから、開口部４６ａから指当て用凹部４６内へ指を挿入させることにより、ヘッドカバー４０の不意の回転を抑制することができる。
第５の手段に係る発明によれば、前記カバー部材３０は、キャップ状部材１２及び吐出ヘッド２４の輪郭に沿った筒体を２分割して得られる略半筒形状であり、その分割箇所に、キャップ状部材１２及び吐出ヘッド２４を挿入するための挿入口４８を開口したから、キャップ状部材１２及び吐出ヘッド２４にカバー部材３０を取り付ける作業が容易となる。
【図面の簡単な説明】
【００１８】
【図１】本発明の第１実施形態に係るポンプ付き容器の側面図である。
【図２】図１の容器の平面図である。
【図３】図１の容器の主要部材（カバー部材）の側面図である。
【図４】図１の容器の使用状態の説明図である。
【図５】図４の状態の容器を別の方向から見た図であり、同図（Ａ）は同容器の一部（上半部）の後面図、同図（Ｂ）は、当該一部のさらに一部分（吐出ヘッド付近）の正面図である。
【図６】図１の容器の組立工程の途中図の説明図である。
【図７】本発明の第２実施形態に係るポンプ付き容器の上半部の側面図である。
【図８】図７の容器の平面図である。
【図９】図７の容器の主要部材（カバー部材）の側面図である。
【図１０】図７の容器の使用状態の説明図である。
【発明を実施するための最良の形態】
【００１９】
図１から図６は、本発明の第１実施形態に係るポンプ付き容器を示している。このポンプ付き容器は、容器体２と、吐出装置１０と、カバー部材３０とで形成されている。これら各部材は、例えば合成樹脂で形成することができる。
【００２０】
容器体２は、胴部４から肩部５を介して口頸部６を起立している。
【００２１】
吐出装置１０は、図１に示す如く、少なくともキャップ状部材１２とポンプシリンダ１８と作動部材２０と抜止め筒２８とを含む。この吐出装置の構造のうちの基本的な構成をまず説明する。
キャップ状部材１２は、口頸部６の外面に嵌合（好ましくは螺合）された装着筒部１４を有し、この装着筒部１４の上端から内向きフランジ１６を内方突出している。
ポンプシリンダ１８は、前記キャップ状部材１２より下方へ垂設され、容器体２内へ挿入されている。好適な一実施例として、ポンプシリンダ１８の筒壁の上端部に図示しない鍔部を付設し、この鍔部を容器体の口頸部６上端面と内向きフランジ１６の下端面との間に挟持させることにより、ポンプシリンダ１８を容器体２内に支持させることができる。ポンプシリンダの底部からはパイプ嵌合筒１８ａを垂設し、このパイプ嵌合筒に、容器体の下部側へ延びる吸上げパイプ１９の上部を取り付けることが好適である。
作動部材２０は、上部に吐出ヘッド２４を有するとともに、その下半部を上方付勢させて前記ポンプシリンダ１８内に挿入されている。図示例では、図５（Ａ）に示す如く、作動部材２０は、ポンプシリンダ１８内から内向きフランジ１６の内側を通って上方へ突出するステム２２を有し、このステム２２の上端部に吐出ヘッド２４を付設している。
また作動部材の下半部は、ポンプシリンダ１８の内面に昇降可能に摺接させた筒状ピストン（図示せず）を含んでいる。好適な実施例として、前記ステムの下端部に筒状ピストンを連設させてもよい。またステムの下端部を大径筒部に形成するとともに、大径筒部より上方のステム部分に有底筒状のピストンガイドの上部を挿入し、ピストンガイドの下部から外方突出させた鍔状壁部（鍔状弁座部）と大径筒部との間に筒状ピストンを嵌挿してもよい。
吐出ヘッド２４は、頂壁２４ａの外周から、足の長い内周壁（筒周壁２４ｂ）及び足の短い外周壁２４ｃを２重に垂下させた筒状のものである。図示はしていないが、頂壁２４ａの中心部から垂下した取付筒部を、前記ステム２２の上端に嵌合させるとともに、このステム２２と連通させて、前記筒周壁２４ｂ及び外周壁２４ｃを貫通するノズル２７を前方へ突出してもよい。図示例のノズル２７は、図５（Ｂ）に示すように左右横長のノズル筒に形成されている。前記頂壁２４ａは、図５（Ａ）に示す如く外周側から中心側へ浅く凹んだ形状に形成されている。
なお、本明細書において図１の左側を前方と、同図右側を後方と、図面と直交する方向を左右方向というものとする。
ポンプシリンダ１８及び作動部材２０の適所には、図示しない第１逆止弁及び第２逆止弁を設ける。好適な実施例として、第１逆止弁は前記ポンプシリンダ１８の底部に、第２逆止弁は前記ピストンガイドの鍔状弁座部と筒状ピストンとの間、或いはステムの内部にそれぞれ形成することができる。
そして作動部材２０の上昇により、容器体内の液体が第１逆止弁を通ってポンプシリンダ内へ吸い上げられ、かつ作動部材２０の下降によりポンプシリンダ１８内の液体がステム２２を通って吐出ヘッド２４のノズル２７から吐出されるように形成することにより、ポンプの機能が実現される。
抜止め筒２８は、その筒壁の下半部（図示せず）がポンプシリンダ１８の上部内へ嵌着されており、これにより作動部材２０の上方抜け出しを防止している。抜止め筒２８の中間部からは、図５（Ａ）に示す鍔状部２８ａが外方突出されている。また抜止め筒２８の上半部は、外面にネジ部を有するネジ筒部２８ｂとして上方突出している。このネジ筒部２８ｂに前述の吐出ヘッド２４の筒周壁２４ｂを螺着させることにより、作動部材２０を下限状態に保持することができる。この状態で商品を流通過程に載せることができる。
【００２２】
本発明においては、作動部材２０が下限位置に降下された状態でキャップ状部材１２及び吐出ヘッド２４に対して装着されたカバー部材３０を設けている。
このカバー部材３０は、図１に示す如く、キャップ状部材１２の前後方向の一半部を覆うキャップカバー３２と、吐出ヘッド２４の前後方向の一半部を覆うヘッドカバー４０とを有する。そして、カバー部材３０は、キャップカバー３２の上端面の内縁とヘッドカバー４０の下端面の外縁とを破断部３８を介して一体に連結させることにより、一体品に形成されている。
【００２３】
このように、カバー部材３０は破断部３８を介してキャップカバー３２とヘッドカバー４０を連結しており、これにより次の２つの機能を兼ね備えている。
（１）未使用時のカバーとしての機能
（２）ポンプ使用時の吐出ヘッドの操作性を向上させるための治具としての機能
前述の（１）の機能に関連して、前記カバー部材３０は、横方向へスライドさせることにより、キャップ状部材１２及び吐出ヘッド２４に対して着脱自在である。このため、内容液を詰め替えするときなどには、カバー部材３０を簡単に取り外すことができ、便利である。
またカバー部材３０の破断部３８を切った後でも、キャップカバー３２はキャップ状部材１２に対して、またヘッドカバー４０は吐出ヘッド２４に対して、横方向へスライドさせることにより、それぞれ着脱自在である。
【００２４】
図示例のカバー部材３０は、図２に示す如く、キャップ状部材１２及び吐出ヘッド２４を囲む筒形Ｃを２分割して得られる形状の半筒体であり、その分割箇所に、キャップ状部材１２及び吐出ヘッド２４を挿入するための挿入口４８を開口している（図３参照）。挿入口４８の下半部４８ａはキャップ状部材１２の半部をキャップカバー３２内に入れるための入口であり、また挿入口４８の上半部４８ｂは吐出ヘッド２４の半部をヘッドカバー４０内に入れるための入口である。
【００２５】
前記キャップカバー３２は、本実施形態において、前記キャップ状部材１２の装着筒部１４の前半部を覆う下側カバー壁部３４を有する。下側カバー壁部３４は、図２に示す如く、装着筒部１４に沿って平面形状円弧状に形成されている。図示例の下側カバー壁部３４は、半円よりもやや長い円弧（優弧）形状に形成されており、これにより装着筒部１４を抱持するように装着筒部１４の前半部に対して嵌着されている。しかしながらこの構成は適宜変更することができる。
前記下側カバー壁部３４の下端からは、図１に示す係止リブ３４ａが内方突出されている。この係止リブ３４ａを前記装着筒部１４の前半部の下端部に係止させることにより、キャップカバー３２の上方抜け出しを防止している。係止リブ３４ａは、下側カバー壁部３４に周方向に間欠的に設けてもよく、また連続的に設けても構わない。
下側カバー壁部３４の下端からは、指掛け部３６が外方突出されている。指掛け部３６を設けることでキャップカバーの保持し易さ（ホールド性能）が向上する。図示例の指掛け部３６は、半円弧形状に形成されている。
【００２６】
前記ヘッドカバー４０は、本実施形態において、前記ヘッドカバー４０の前半部を覆う上側カバー壁部４２と、この上側カバー壁部４２の上端から延設した天壁４４とを有する。
前記上側カバー壁部４２は、図２に示すように、下側カバー壁部３４と同様に半円よりやや長い優弧形状に形成されている。図５（Ａ）に示すように、左右方向に現れる下側カバー壁部３４の内径Ｄｉは、同方向に現れる上側カバー壁部４２の外径Ｄｏとほぼ同じであり、これにより、図１に示す如く、下側カバー壁部３４の上端面の内縁と上側カバー壁部４２の下端面の外縁とが破断部３８により連結されている。この構成は、カバー部材３０を金型で一体に成形するときに有利である。型抜きが容易であるからである。もっとも、この構造は適宜変更することができる。
破断部３８は、本実施形態では、キャップカバー３２に対してヘッドカバー４０を回転させることで破断するものとしているが、キャップカバー３２に対してヘッドカバー４０を引き上げることで破断させても構わない。また図示例の破断部３８は、キャップカバー３２とヘッドカバー４０との連結箇所に周方向に間欠的に設けているが、連続的に形成しても構わない。
上側カバー壁部４２の左右方向中間部には、ノズル挿通口４３が開口されている。図示例のノズル挿通口４３は、上側カバー壁部４２の少なくとも上側に左右横長に形成されており、ノズル挿通口４３の左右両縁は、ノズル２７の左右両端に近接又は当接している。また図示例のノズル挿通口は、上側カバー壁部４２の上側から天壁４４の前端部側に亘って形成され、ノズル挿通口４３の上縁部４３ａは天壁４４の前部に位置している。
前記天壁４４は、前記上側カバー壁部４２の上端から前記吐出ヘッド２４の頂壁２４ａに沿って延設されている。この天壁４４には指当て用凹部４６を形成している。本実施形態の指当て用凹部４６は、切欠き部として形成されており、前記天壁４４の前壁部４４ａ及び左右側壁部４４ｂを残して、天壁の中央部から後部へ亘って切り欠くことで形成されている。指当て用凹部４６の後端は開放端部であり、当該端部に開口部４６ａが開口されている。また図示例では指当て用凹部４６の回りの天壁部分から隆起部４５を上方突出している。
このような構造とすることにより、図４に想像線で示す如く、指当て用凹部４６の後方から開口部４６ａを介して指を挿入することができ、指を指当て箇所にセットすることが容易となる。また開口部４６ａを介して指当て用凹部４６に指を挿入した状態では、ヘッドカバー４０が指に対して回転しずらしくなり、かつ後述の如くヘッドカバー４０は吐出ヘッド２４に対して固定されているので、押下げ操作時の吐出ヘッド２４の不意の回転を規制できる。
もっともこの構成は必須ではなく、前記指当て用凹部４６は前記天壁の中心部のみを切り欠いて形成しても構わない。
前記指当て用凹部４６は、前記作動部材２０の縦方向の中心線Ｏが指当て用凹部４６の左右方向の中間部を通過するように配置されており、これにより指当て用凹部４６に挿入した指で吐出ヘッド２４を押し下げるときに、前記中心線に沿って吐出ヘッド２４を押し下げることになり、作動部材２０の横ブレを生じにくい。
天壁４４の厚みは、指当て用凹部４６である切欠き内に指を挿入させたときに、天壁の残りの箇所の上面に対して指の腹部分が十分に沈み込む程度に設定するとよい。
【００２７】
また図示例では、図５に示す如く、前記上側カバー壁部４２の内面の適所に吐出ヘッド２４の外周面へ着脱可能な左右一対の突起Ｒを設け、これら突起を前記外周壁２４ｃの下端に掛止させている。
【００２８】
前記構成において、カバー部材３０のキャップカバー３２を一方の手で把持するとともに、残りの手でヘッドカバー４０を回転させると、破断部３８が破断され、キャップカバー３２とヘッドカバー４０とが分離する。さらにキャップカバー３２及びヘッドカバー４０を吐出装置１０から除去することなく、回転操作を続けると、吐出ヘッド２４の筒周壁２４ｂが抜止め筒２８のネジ筒部２８ｂから螺脱し、作動部材２０が上方へ付勢されて上限位置まで上昇する（図４参照）。
ここで吐出ヘッド２４を螺上昇させることにより、ノズル２７と指掛け部３６との位置関係が変化する。吐出ヘッド２４が抜止め筒２８のネジ筒部２８ｂから螺脱した状態で、ノズル２７と指掛け部３６が図４に示すように反対側にあるように設計すると好適である。
この状態で、指掛け部３６の下面に例えば親指を添え、かつ指当て用凹部４６内に他の指を挿入して、二本の指を引き寄せるようにして吐出ヘッド２４を押し下げると、一本指のみの力で吐出ヘッド２４を押し下げる場合に比べて力は入り易いので、手指の力の弱い利用者でもより確実に作動部材２０を下降させることができる。
また指当て用凹部４６内に指を挿入して吐出ヘッド２４を押し下げることにより、作動部材２０を中心線に沿って真っすぐ下降させることができ、横ブレを生じない。また前述の如く指当て用凹部４６内にその下端側の開口部４６ａを介して指を挿入することで、吐出ヘッド２４及びヘッドカバー４０の不意の回転も防止できる。
また、本発明のカバー部材３０は、容器体２の口頸部６から液体を充填し、次に口頸部６に吐出装置１０を装着した後に、図５に示す如く、前方側（ノズル２７が突出された側）より、ヘッドカバー４０のノズル挿通口４３にノズル２７を挿通させ、次にヘッドカバー４０を吐出ヘッド２４の前半部に、またキャップカバー３２をキャップ状部材１２の前半部にそれぞれ嵌合させる。これにより、キャップカバー３２の係止リブ３４ａが装着筒部１４の下端部に係止され、吐出装置１０にカバー部材３０が装着される。
本実施形態では、吐出ヘッド２４の少なくとも前半部にヘッドカバー４０を覆い被せるとともに、前記ノズル挿通口４３に吐出ヘッド２４のノズル２７を挿通させたから、より確実に吐出ヘッド２４とヘッドカバー４０とを固定することができる。
【００２９】
以下、本発明の他の実施形態に係るポンプ付き容器を説明する。これらの説明において第１実施形態と同じ構成に関しては解説を省略する。
【００３０】
図７から図１０は、本発明の第２実施形態に係るポンプ付き容器を示している。本実施形態では、吐出装置１０へのカバー部材３０の取付け箇所、及び、ヘッドカバー４０の指当て用凹部４６の構造において第１実施形態との相違がある。
【００３１】
まず本実施形態では、図７に示す如く、カバー部材３０は、ノズル２７の突出方向と反対側に位置させて取り付けている。すなわち、キャップカバー３２はキャップ状部材１２の装着筒部１４の主として後半部側に、ヘッドカバー４０も吐出ヘッド２４の筒周壁２４ｂの主として後半部側に取り付けられている。これにより、ヘッドカバー４０にノズル挿通口４３を設けることを省略できる。この構造によれば、カバー部材３０を吐出装置１０に取り付ける際に、ノズル挿通口４３にノズル２７を挿通させる作業が必要なくなる。
【００３２】
また本実施形態では、ヘッドカバー４０の天壁４４に設ける指当て用凹部４６を、天壁の一部を陥没させた凹陥部として形成している。この構成では、図１０に示す如く、指当て用凹部４６の底面を押圧することにより、ヘッドカバー４０を介して吐出ヘッド２４を間接的に押し下げることになる。
なお、前記天壁の中心部から後側へ亘って指当て用凹部４６を形成し、後側に開口部４６ａを有することは第１実施形態と同じである。それ以外に第１実施形態の指当て用凹部４６について説明したことも本実施形態の指当て用凹部４６に援用する。
【符号の説明】
【００３３】
２…容器体  ４…胴部  ５…肩部
６…口頸部
１０…吐出装置  １２…キャップ状部材  １４…装着筒部  １６…内向きフランジ
１８…ポンプシリンダ  １８ａ…パイプ嵌合筒  １９…吸上げパイプ
２０…作動部材  ２２…ステム
２４…吐出ヘッド  ２４ａ…頂壁  ２４ｂ…内周壁（筒周壁）  ２４ｃ…外周壁
２７…ノズル
２８…抜止め筒  ２８ａ…鍔状部  ２８ｂ…ネジ筒部
３０…カバー部材  ３２…キャップカバー  ３４…下側カバー壁部  ３４ａ…係止リブ
３６…指掛け部  ３８…破断部
４０…ヘッドカバー  ４２…上側カバー壁部  
４３…ノズル挿通口  ４３ａ…口縁
４４…天壁  ４４ａ…前壁部  ４４ｂ…側壁部  ４５…隆起部
４６…指当て用凹部  ４６ａ…開口部
４８…挿入口  ４８ａ…挿入口下半部  ４８ｂ…挿入口上半部
Ｏ…中心線  Ｒ…突起
【図１】
2019064685.tif 000003
【図２】
2019064685.tif 000004
【図３】
2019064685.tif 000005
【図４】
2019064685.tif 000006
【図５】
2019064685.tif 000007
【図６】
2019064685.tif 000008
【図７】
2019064685.tif 000009
【図８】
2019064685.tif 000010
【図９】
2019064685.tif 000011
【図１０】
2019064685.tif 000012